(57)【特許請求の範囲】
【請求項１】
左右に固定接点を備えたケースに、左右方向に操作されるハンドルをその上端と下端との中間に設けられた軸により枢着し、このハンドルの下端の左右両側にそれぞれピンを突設し、これらのピンに左右の可動接触子の上端部を嵌め込むとともに、各可動接触子の中間位置とハンドルの軸との間に中立点を越えた瞬間に可動接触子を反転させる反転ばねをそれぞれ張設してハンドルの操作方向の可動接触子を左右の固定接点側に動作させる構造とし、またケースの中央部側壁に開状態にある各可動接触子の背面が当接される中央突起を突設するとともに、ハンドルを片側に操作したときに非動作側の可動接触子の上部と係合して可動接触子をオフ位置に留めるための動作規制部を形成し、かつコモン端子をケース内でハンドルの左側から右側まで延ばし、可撓導線で左右の各可動接触子と接続したことを特徴とする切換スイッチ。
【発明の詳細な説明】
【０００１】
【発明の属する技術分野】
本発明は、ハンドルを操作することにより出力端子を左右いずれかの側に切り換える切換スイッチに関するものである。
【０００２】
【従来の技術】
上記のような切換スイッチとしては、図７に示すようにケース５０に軸５１で枢着されたハンドル５２の下端に一枚板からなる可動接触子５３を設けたものが普通であった。この可動接触子５３と軸５１との間には反転ばね５４が設けられており、可動接触子５３をその上端を折曲点としたくの字状に引いている。可動接触子５３の下端は二股状として、第１の可動接点５５と第２の可動接点５６とが形成されている。
【０００３】
図７に示した状態では、可動接触子５３は反転ばね５４により右側に引かれ、ケース５０の下部に設けられた第１の固定接点５７に第１の可動接点５５が接触している。またケース５０の片側に設けられたコモン端子５８と可動接触子５３との間は、縒り線等からなる可撓導線５９で接続されている。このため図７の状態ではコモン端子５８は右側の第１の固定接点５７に接続され、出力端子は右側となる。
【０００４】
しかしハンドル５２を左方向に操作すると、反転ばね５４は次第に引き伸ばされ、軸５１と可動接触子５３の上端と反転ばね５４の下端とが一直線となる中立点を越えると、反転ばね５４の力により可動接触子５３とハンドル５２は一気に反対側にくの字状に引かれる。そして可動接触子５３の下端の第２の可動接点５６がケース５０の下部の第２の固定接点６０に接触し、出力端子は左側に切り換わる。
【０００５】
従来の切換スイッチは上記のように構成されているため、第１の可動接点５５と第２の可動接点５６との距離は接近している。そのため、第１の可動接点５５が開くときに第１の固定接点５７との間で発生するアークが第２の可動接点５６に影響し、アークによって発生した不純物が第２の可動接点５６に付着して導通不良を招いたり、接点の磨耗を早める原因となっていた。
【０００６】
また従来の切換スイッチは、反転ばね５４により可動接触子５３とハンドル５２とを左右いずれかの方向にくの字状に引く構造となっているため、可動接触子５３は必ず第１の固定接点５７又は第２の固定接点６０に接触した状態を取る。このため切換スイッチを中立位置に維持することは不可能であった。
【０００７】
【発明が解決しようとする課題】
本発明は上記した従来の問題点を解決し、接点開放時に発生するアークが他方の接点に影響することがなく、またハンドルを中立位置に維持することができる切換スイッチを提供するためになされたものである。
【０００８】
【課題を解決するための手段】
上記の課題を解決するためになされた本発明の切換スイッチは、左右に固定接点を備えたケースに、左右方向に操作されるハンドルをその上端と下端との中間に設けられた軸により枢着し、このハンドルの下端の左右両側にそれぞれピンを突設し、これらのピンに左右の可動接触子の上端部を嵌め込むとともに、各可動接触子の中間位置とハンドルの軸との間に中立点を越えた瞬間に可動接触子を反転させる反転ばねをそれぞれ張設してハンドルの操作方向の可動接触子を左右の固定接点側に動作させる構造とし、またケースの中央部側壁に開状態にある各可動接触子の背面が当接される中央突起を突設するとともに、ハンドルを片側に操作したときに非動作側の可動接触子の上部と係合して可動接触子をオフ位置に留めるための動作規制部を形成し、かつコモン端子をケース内でハンドルの左側から右側まで延ばし、可撓導線で左右の各可動接触子と接続したことを特徴とするものである。
【０００９】
本発明の切換スイッチは、２つの個別の可動接触子を備えたものであるため、両者間の距離を大きく取ることができ、アークに影響されることがない。またハンドルに中立位置を取らせることができ、左右いずれの側にも出力しない状態に維持することができる。
【００１０】
【発明の実施の形態】
以下に本発明の好ましい実施形態を示す。
図１において、１は左右に固定接点１２，１１を備えたケース、２は軸３によりこのケース１内に枢着され左右方向に操作されるハンドルである。ハンドル２の下端には左右両側にピン４、４が突設されており、これらのピン４、４に２つの個別の可動接触子５、５の上端の逆Ｕ字状部６、６が嵌め込まれている。各可動接触子５、５の中間位置と軸３との間には、それぞれ反転ばね７、７が張設されている。
【００１１】
図１に示す状態では、各反転ばね７、７は各可動接触子５、５を中心側にくの字状に引いており、ケース１の中央部側壁に形成された中央突起８に各可動接触子５、５の背面が当たっている。各可動接触子５、５の下部にはそれぞれ第１の可動接点９と第２の可動接点１０とが形成されており、ケース１の内部の左右両側に設けられた第１の固定接点１１と第２の固定接点１２とに対向させてある。図１に示す状態では、各可動接触子５、５は中心側に引かれているから、第１の可動接点９と第２の可動接点１０は、何れも第１の固定接点１１と第２の固定接点１２とから離れたオフ位置にある。従ってこの状態ではハンドル２は安定した中立位置を取ることとなる。
【００１２】
なお１３はコモン端子であり、図２に示すようにケース１に固定されている。上記したように、本発明の切換スイッチはハンドル２の下端の左右両側に２つの個別の可動接触子５、５を設けたものであるため、このコモン端子１３を図２に示すようにケース１の内部でハンドル２の左側から右側まで延ばし、可撓導線１４、１４で各可動接触子５、５と接続してある。このような構造としたことにより可撓導線１４、１４が切れることが防止できる。図１の状態では、このコモン端子１３は左右いずれの出力端子１５、１５にも接続されていない。
【００１３】
図３と図４は、右側の反転ばね７等を省略して簡素化した図である。図３の中立状態からハンドル２を図４のように左側に倒して行くと、軸３とピン４と反転ばね７の下端とが一直線になった中立点を越えた瞬間に反転ばね７の力により図４のように左側の可動接触子５が外側（左側）にくの字状に引かれ、第２の可動接点１０が第２の固定接点１２と接触する。この状態では、コモン端子１３は左側の出力端子１５に接続される。
【００１４】
このようにしてハンドル２を中立状態から左右いずれかの側に操作すると、それに連れて出力端子１５、１５の切り換えが可能となる。左右の可動接触子５、５は独立しているため、それぞれの下端に設けられた第１の可動接点９と第２の可動接点１０との距離を十分に取ることができる。従って従来のように接点開放時に発生するアークが他方の接点に影響することを防止できる。
【００１５】
またこの実施形態では、ハンドル２を一方に倒したときにも他方（右側）の可動接触子５は図４のように元のままのオフ位置に留まるようにしてある。その理由及びそのための機構を、図５と図６により説明する。
図６はハンドル２の下端に単に２つの個別の可動接触子５、５を設けた場合の問題点を示す図であり、中立状態からハンドル２を左側に倒して行くと、右側の可動接触子５の上端を支持しているハンドル２のピン４も軸３を中心とする円弧を描きながら右上方に移動する。このため右側の可動接触子５はそれに連れて移動し、図示のように第１の可動接点９はオフ位置よりも第１の固定接点１１に接近する。また、右側の可動接触子５は中央突起８から離れるまではハンドル２の反時計方向の回転モーメントを与えるが、図面上左側に倒れているハンドル２を反対側に動作させる時にハンドル２が完全に中立位置になるまでに手を外してしまうと、右側の可動接触子５と右側の反転ばね７とのモーメントと、左側の可動接触子５と左側の反転ばね７とのモーメントとでは、右側の可動接触子５のモーメントの方が強い。言い換えれば反転ばね７と可動接触子５との角度が小さい。このように左側の可動接触子５より右側の可動接触子５のモーメントの方が強いとハンドル２が左側に戻ってしまう。また左側にあるハンドル２を反対側に動作させるときに、ハンドル２が中立位置まできた際に少しでも勢いがあると右側の可動接触子５と右側の反転ばね７とのモーメントと左側の可動接触子５と左側の反転ばね７とのモーメントとでは、左側の可動接触子５のモーメントの方が強いため、一挙にハンドル２が右側に倒れてしまう。このようにハンドル２を中立位置で止めることはできなかった。
【００１６】
そこでこの実施形態では図５に示すように、ハンドル２を片側に操作したときに非動作側の可動接触子５をオフ位置に留めるための動作規制部１６を、ケース１の側壁に形成してある。この動作規制部１６は非動作側の可動接触子５が図６のように上方に移動することを防止し、図５のように非動作側の可動接触子５のモーメントがハンドル２に伝わらないように、可動接触子５の上部の逆Ｕ字状部６とハンドル２の突起と切り離すようにするため、各可動接触子５の上部側面の円形突起１７を上から押さえることができる形状となっている。またこの動作規制部１６は、ハンドル２を片側に操作したときに動作側の可動接触子５の動きを妨げるものであってはならない。また、上部に膨らんだ位置で非動作側の可動接触子５が止まるようにしてあり、動作規制部１６は両側が上部に膨らんだ左右対称形状となっている。
【００１７】
このような動作規制部１６によって、図５に示すようにハンドル２を片側に操作したときに非動作側の可動接触子５をオフ位置に留めたままとしておけば、図６について説明したように可動接点が固定接点に接近することがなくなり、またハンドル荷重に変動が生じず中立位置で止めることができる。
【００１８】
このような動作規制部１６の本来の役割からは、図示のように動作規制部１６をループ状に形成する必要はなく、上半部のみで足りることとなる。しかし図示のようにループ状としておけば、衝撃や輸送時の振動等によって可動接触子５がハンドル２のピン４から外れることを防止できる副次的な効果が得られる。なおこの実施形態では動作規制部１６をケース１の側壁に形成したが、ケース１とは別に形成しても差し支えない。
【００１９】
またこの実施形態では、図４に示すようにハンドル２が操作されたときの受部１８を、ケース１の内壁部に設けてある。従来は図７に示すように、ケース５０のハンドル開口部６１でハンドル５２を受けていたが、ハンドル操作によりこの部分に傷が付いて見苦しくなる。これに対してこの実施形態のように受部１８をケース１の内壁部に設ければ、ハンドル開口部には傷が付かない利点がある。
【００２０】
【発明の効果】
以上に説明したように、本発明の切換スイッチはハンドルの下端の左右両側に２つの個別の可動接触子を設けたものであり、接点開放時に発生するアークが他方の接点に影響することがなく、またハンドルを中立位置に維持することができる利点がある。また動作規制部を設けることにより、非動作の可動接点が固定接点に接近することがなくなり、またハンドル荷重に変動が生じず、中立位置で止めることができる。またコモン端子をケース内でハンドルの左側から右側まで延ばすことにより、可撓導線の切れを防止できる。更にハンドルの受部をケースの内壁部に設けることにより、ハンドル開口部の傷をなくすことができる。
【図面の簡単な説明】
【図１】本発明の実施形態を示す断面図である。
【図２】コモン端子を示す水平断面図である。
【図３】動作説明用に簡略化した中立状態の断面図である。
【図４】ハンドルを左側に倒した状態の断面図である。
【図５】動作規制部の役割を示す動作説明図である。
【図６】動作規制部のない場合の問題を示す動作説明図である。
【図７】従来の切換スイッチを示す断面図である。
【符号の説明】
１  ケース
２  ハンドル
３  軸
４  ピン
５  可動接触子
６  逆Ｕ字状部
７  反転ばね
８  中央突起
９  第１の可動接点
１０  第２の可動接点
１１  第１の固定接点
１２  第２の固定接点
１３  コモン端子
１４  可撓導線
１５  出力端子
１６  動作規制部
１７  円形突起
１８  受部
５０  ケース
５１  軸
５２  ハンドル
５３  可動接触子
５４  反転ばね
５５  第１の可動接点
５６  第２の可動接点
５７  第１の固定接点
５８  コモン端子
５９  可撓導線
６０  第２の固定接点
６１  ハンドル開口部
【図１】
0003750981.tif 000002
【図２】
0003750981.tif 000003
【図３】
0003750981.tif 000004
【図４】
0003750981.tif 000005
【図５】
0003750981.tif 000006
【図６】
0003750981.tif 000007
【図７】
0003750981.tif 000008